(57)【要約】【課題】シート重量を抑える新たな構成となる車両のシート構造を提供する。【解決手段】底板６０と、底板６０に支持されるクッション８０〜８２、８５と、クッション８０〜８２、８５を覆う表面部材５０とからなるシート１３を備え、クッション８０〜８２、８５は、乗員の座部１３ａ、１３ｂを形成し、底板６０は、クッション８０〜８２、８５を支持するクッション支持部６１、６５を備え、シート１３を車体に接続し、表面部材５０は、クッション８０〜８２、８５および底板６０を覆う車両のシート構造において、底板６０の上面の一部６６、７１とクッション８０〜８２、８５が表面部材５０の内側と接触する。【選択図】図３
2019131053.tif 000002
【特許請求の範囲】
【請求項１】
底板（６０）と、前記底板（６０）に支持されるクッション（８０〜８２、８５）と、前記クッション（８０〜８２、８５）を覆う表面部材（５０）とからなるシート（１３）を備え、
前記クッション（８０〜８２、８５）は、乗員の座部（１３ａ、１３ｂ）を形成し、
前記底板（６０）は、前記クッション（８０〜８２、８５）を支持するクッション支持部（６１、６５）を備え、前記シート（１３）を車体に接続し、
前記表面部材（５０）は、前記クッション（８０〜８２、８５）および前記底板（６０）を覆う車両のシート構造において、
前記底板（６０）の上面の一部（６６、７１）と前記クッション（８０〜８２、８５）が前記表面部材（５０）の内側と接触する
ことを特徴とする車両のシート構造。
【請求項２】
前記底板（６０）は、前記クッション支持部（６１、６５）の外周に位置する周縁部（６７）と、該周縁部（６７）に立設されるリブ（７１）を備え、該リブ（７１）は表面部材（５０）の内側と接触することを特徴とする請求項１に記載の車両のシート構造。
【請求項３】
前記リブ（７１）は、上面視で、前記シート（１３）中心から外周方向にかけて放射状に指向していることを特徴とする請求項２に記載の車両のシート構造。
【請求項４】
前記リブ（７１）は、前記周縁部（６７）の前部（６８）に位置し、左右それぞれ複数配置されることを特徴とする請求項２または３に記載の車両のシート構造。
【請求項５】
前記周縁部（６７）の一部は、前記クッション支持部（６１）よりも下方に位置し、前記クッション支持部（６１）と前記周縁部（６７）の間には切りかき部（６０ｄ）が形成され、前記リブ（７１）は前記切りかき部（６０ｄ）に位置することを特徴とする請求項２ないし４のいずれか１項に記載の車両のシート構造。
【請求項６】
前記リブ（７１）は、前記周縁部（６７）の外端（６０ｃ）から前記クッション支持部（６１）の下部にまたがって形成される略三角形状をなすことを特徴とする請求項２ないし５のいずれか１項に記載の車両のシート構造。
【請求項７】
前記リブ（７１）の外端部（７１ｅ）は内端部（７１ｄ）よりも前方に位置することを特徴とする請求項２ないし６のいずれか１項に記載の車両のシート構造。
【請求項８】
前記周縁部（６７）は、前記リブ（７１）が立設された立設部前部（６８ｃ）が立設部後部（６８ｄ）に対して下方に位置し、前記クッション支持部（６１）との距離が離間しており、前記立設部前部（６８ｃ）に位置する前記リブ（７１）は前記立設部後部（６８ｄ）に位置する前記リブ（７１）に対して高さ方向の寸法が大きいことを特徴とする請求項２ないし７のいずれか１項に記載の車両のシート構造。
【請求項９】
前記クッション（８０〜８２）は左右の両端に延出部（８０ｂ１）を有し、該延出部（８０ｂ１）は複数の前記リブ（７１）の一部を覆うように配置されることを特徴とする請求項２ないし８のいずれか１項に記載の車両のシート構造。
【請求項１０】
前記表面部材（５０）は三次元立体編物からなるメッシュカバー（５２、５３）であることを特徴とする請求項２ないし９のいずれか１項に記載の車両のシート構造。
【請求項１１】
前記周縁部（６７）の断面形状は、前記シート（１３）中心から外周方向にかけて傾斜していることを特徴とする請求項２ないし１０のいずれか１項に記載の車両のシート構造。
【発明の詳細な説明】
【技術分野】
【０００１】
本発明は、車両のシート構造に関する。
【背景技術】
【０００２】
従来、底板上にクッションを配設し、それらをカバーが覆うことによって構成されるシート構造が知られている（例えば、特許文献１参照）。
【先行技術文献】
【特許文献】
【０００３】
【特許文献１】特開２００８−２９７５２号公報
【発明の概要】
【発明が解決しようとする課題】
【０００４】
従来技術ではクッションがシート形状に合わせて形成されており、座部としてのクッション性を必要としない部位にもクッション部材を設けることになり、シート重量がかさんでしまうことが課題となっていた。
本発明は、上述した事情に鑑みてなされたものであり、シート重量を抑える新たな構成となる車両のシート構造を提供することを目的とする。
【課題を解決するための手段】
【０００５】
本発明は、底板（６０）と、前記底板（６０）に支持されるクッション（８０〜８２、８５）と、前記クッション（８０〜８２、８５）を覆う表面部材（５０）とからなるシート（１３）を備え、前記クッション（８０〜８２、８５）は、乗員の座部（１３ａ、１３ｂ）を形成し、前記底板（６０）は、前記クッション（８０〜８２、８５）を支持するクッション支持部（６１、６５）を備え、前記シート（１３）を車体に接続し、前記表面部材（５０）は、前記クッション（８０〜８２、８５）および前記底板（６０）を覆う車両のシート構造において、前記底板（６０）の上面の一部（６６、７１）と前記クッション（８０〜８２、８５）が前記表面部材（５０）の内側と接触することを特徴とする。
【０００６】
上記発明において、前記底板（６０）は、前記クッション支持部（６１、６５）の外周に位置する周縁部（６７）と、該周縁部（６７）に立設されるリブ（７１）を備え、該リブ（７１）は表面部材（５０）の内側と接触しても良い。
【０００７】
また、上記発明において、前記リブ（７１）は、上面視で、前記シート（１３）中心から外周方向にかけて放射状に指向していても良い。
【０００８】
また、上記発明において、前記リブ（７１）は、前記周縁部（６７）の前部（６８）に位置し、左右それぞれ複数配置されても良い。
【０００９】
また、上記発明において、前記周縁部（６７）の一部は、前記クッション支持部（６１）よりも下方に位置し、前記クッション支持部（６１）と前記周縁部（６７）の間には切りかき部（６０ｄ）が形成され、前記リブ（７１）は前記切りかき部（６０ｄ）に位置しても良い。
【００１０】
また、上記発明において、前記リブ（７１）は、前記周縁部（６７）の外端（６０ｃ）から前記クッション支持部（６１）の下部にまたがって形成される略三角形状をなしても良い。
【００１１】
また、上記発明において、前記リブ（７１）の外端部（７１ｅ）は内端部（７１ｄ）よりも前方に位置しても良い。
【００１２】
また、上記発明において、前記周縁部（６７）は、前記リブ（７１）が立設された立設部前部（６８ｃ）が立設部後部（６８ｄ）に対して下方に位置し、前記クッション支持部（６１）との距離が離間しており、前記立設部前部（６８ｃ）に位置する前記リブ（７１）は前記立設部後部（６８ｄ）に位置する前記リブ（７１）に対して高さ方向の寸法が大きくても良い。
【００１３】
また、上記発明において、前記クッション（８０〜８２）は左右の両端に延出部（８０ｂ１）を有し、該延出部（８０ｂ１）は複数の前記リブ（７１）の一部を覆うように配置されても良い。
【００１４】
また、上記発明において、前記表面部材（５０）は三次元立体編物からなるメッシュカバー（５２、５３）であっても良い。
【００１５】
また、上記発明において、前記周縁部（６７）の断面形状は、前記シート（１３）中心から外周方向にかけて傾斜していても良い。
【発明の効果】
【００１６】
本発明に係る車両のシート構造は、底板と、前記底板に支持されるクッションと、前記クッションを覆う表面部材とからなるシートを備え、前記クッションは、乗員の座部を形成し、前記底板は、前記クッションを支持するクッション支持部を備え、前記シートを車体に接続し、前記表面部材は、前記クッションおよび前記底板を覆う車両のシート構造において、前記底板の上面の一部と前記クッションが前記表面部材の内側と接触する。この構成によれば、底板の上面の一部によって、底板上にクッションが配設されない部分にもシートの形状出しが可能となる。
【００１７】
上記発明において、前記底板は、前記クッション支持部の外周に位置する周縁部と、該周縁部に立設されるリブを備え、該リブは表面部材の内側と接触しても良い。この構成によれば、底板周縁部に備わるリブによって、底板上にクッションが配設されない部分にもシートの形状出しが可能となる。
【００１８】
また、上記発明において、前記リブは、上面視で、前記シート中心から外周方向にかけて放射状に指向していても良い。この構成によれば、上面視でシート中心から外周方向にかけて放射状に指向していることで、シート外周に沿った形状出しが可能となる。
【００１９】
また、上記発明において、前記リブは、前記周縁部の前部に位置し、左右それぞれ複数配置されても良い。この構成によれば、左右それぞれ複数のリブが配置されることで、シート外周に沿った形状出しが可能となる。
【００２０】
また、上記発明において、前記周縁部の一部は、前記クッション支持部よりも下方に位置し、前記クッション支持部と前記周縁部の間には切りかき部が形成され、前記リブは前記切りかき部に位置しても良い。この構成によれば、切りかき部を備えることでシート底板の軽量化が可能となる。さらに切りかき部にリブが形成されることでシートの形状出しが可能となる。
【００２１】
また、上記発明において、前記リブは、前記周縁部の外端から前記クッション支持部の下部にまたがって形成される略三角形状をなしても良い。この構成によれば、リブが略三角形状をなすことでシートの形状出しを行うことができる。
【００２２】
また、上記発明において、前記リブの外端部は内端部よりも前方に位置しても良い。この構成によれば、リブの外端部が内端部よりも前方に位置することでシートの形状出しが可能である。
【００２３】
また、上記発明において、前記周縁部は、前記リブが立設された立設部前部が立設部後部に対して下方に位置し、前記クッション支持部との距離が離間しており、前記立設部前部に位置する前記リブは前記立設部後部に位置する前記リブに対して高さ方向の寸法が大きくても良い。この構成によれば、軽量化をしつつ滑らかなシートの形状出し行うことができる。
【００２４】
また、上記発明において、前記クッションは左右の両端に延出部を有し、該延出部は複数の前記リブの一部を覆うように配置されても良い。この構成によれば、複数のリブの一部を覆うクッションの延出部によって、リブとの摩擦に対して表面部材を保護することができる。
【００２５】
また、上記発明において、前記表面部材は三次元立体編物からなるメッシュカバーであっても良い。この構成によれば、表面部材が三次元立体編物であることから、クッションが無い部分でもシート底板を保護することができる。また、メッシュカバーであることから、通気性を確保することができる。
【００２６】
また、上記発明において、前記周縁部の断面形状は、前記シート中心から外周方向にかけて傾斜していても良い。この構成によれば、周縁部がシート中心から外周方向へと放射状に傾斜していることで、周縁部上に浸入した水をシート外部へと排出しやすくなる。また、底板の周縁部の断面形状が前記シート中心から外周方向にかけて傾斜していることから、底板の剛性が向上する。
【図面の簡単な説明】
【００２７】
【図１】本発明の実施の形態に係る自動二輪車の左側面図である。
【図２】シートの斜視図である。
【図３】図２のシートからカバーのメッシュ部を省略した斜視図である。
【図４】クッションの斜視図である。
【図５】シートの表面近傍の断面を拡大した図である。
【図６】底板の上面図である。
【図７】底板の左側面図である。
【図８】ライダー用のクッションを下方から見た図である。
【図９】ライダー用のクッションが底板に装着された状態を前方から見た斜視図である。
【図１０】ライダー用のクッションが底板に装着された状態を後方から見た斜視図である。
【図１１】ライダー用のクッションが底板に装着された状態を車幅方向に切断して示す断面図である。
【図１２】ライダー用のクッションが底板に装着された場合を示す断面図であり、車幅方向中央部で切断した断面図である。
【図１３】ライダー用の第２のクッションが底板に装着された場合を示す断面図であり、車幅方向中央部で切断した断面図である。
【図１４】ライダー用の第３のクッションが底板に装着された場合を示す断面図であり、車幅方向中央部で切断した断面図である。
【図１５】第１のスペーサーが底板に装着されている場合の斜視図である。
【図１６】第１のスペーサーの斜視図である。
【図１７】第１のスペーサーの左側面図である。
【図１８】図１６のＸＶＩＩＩ−ＸＶＩＩＩ線断面図である。
【図１９】第２のスペーサーの斜視図である。
【図２０】第２のスペーサーの左側面図である。
【図２１】図１９のＸＸＩ−ＸＸＩ線断面図である。
【発明を実施するための形態】
【００２８】
以下、図面を参照して本発明の一実施の形態について説明する。なお、説明中、前後左右および上下といった方向の記載は、特に記載がなければ車体に対する方向と同一とする。また、各図に示す符号ＦＲは車体前方を示し、符号ＵＰは車体上方を示し、符号ＬＨは車体左方を示している。
【００２９】
図１は、本発明の実施の形態に係る自動二輪車１の左側面図である。なお、図１では、左右一対で設けられるものは、符号を含め左側のものだけが図示されている。
自動二輪車（小型車両）１は、車体フレーム１０と、前輪２を操舵可能に支持する操舵系１１と、車体フレーム１０の後部に支持されるパワーユニット１２と、後輪３と、乗員が跨るようにして着座するシート１３とを備えるスクーター型の鞍乗り型車両である。
【００３０】
車体フレーム１０は、その前端に設けられるヘッドパイプ１４と、ヘッドパイプ１４から後下方に延びるメインフレーム１５と、メインフレーム１５の下端から後方に延びるロアフレーム１６と、ロアフレーム１６から後上がりに後方へ延びるリアフレーム１７と、メインフレーム１５の上部から後方に延びてリアフレーム１７の前部に連結される中間フレーム１８とを備える。
【００３１】
操舵系１１は、ヘッドパイプ１４に軸支されるステアリングシャフト２０と、前輪２の左右の両側に配置されて前輪２を支持する左右一対のフロントフォーク２１と、ステアリングシャフト２０の下端に固定され左右のフロントフォーク２１の上部を連結するブリッジ部材２２と、ステアリングシャフト２０の上端に固定されるハンドル２３とを備える。
前輪２は、左右のフロントフォーク２１の下端部間に渡される前輪車軸２ａに軸支される。
【００３２】
パワーユニット１２は、後輪３の駆動源としてのエンジンと後輪３を支持するスイングアームとの機能を備えたユニットスイングエンジンである。パワーユニット１２は、その前端部に設けられるピボット軸（不図示）を介して揺動自在に車体フレーム１０に軸支される。後輪３は、パワーユニット１２の後端部の後輪車軸３ａに軸支される。
【００３３】
自動二輪車１は、車体フレーム１０等の車体を覆う車体カバー２５を備える。
車体カバー２５は、ヘッドパイプ１４を前方及び左右側方から覆うフロントカバー２６と、フロントカバー２６の後方に配置されて乗員の脚部の前方に位置するレッグシールド２７と、シート１３の下方の車体を側方から覆うリアカバー２８と、レッグシールド２７の下方及びリアカバー２８の前部の下方の部分を覆うロアカバー２９とを備える。
また、自動二輪車１は、前輪２を上方から覆うフロントフェンダー４０と、後輪３を上方から覆うリアフェンダー４１とを備える。
シート１３は、上面が開口した収納ボックス（不図示）を上方から覆う。シート１３は、その前端のヒンジ（不図示）を介して開閉可能に設けられている。
【００３４】
図２は、シート１３の斜視図であり、図３は、シート１３の構造図であり、カバー５０のメッシュ部５２、５３が省略された状態を示す図である。
シート１３は、前後方向に長く形成されており、図３に示すように、車体に開閉可能に支持された底板（シート底板）６０を備える。シート１３は複座式であり、底板６０には前後にクッション（三次元網状構造物）８０、８５が設けられている。シート１３は、図２に示すように、クッション８０、８５を外側から覆うカバー（表面部材）５０を備える。前側のクッション８０は、ライダーの着座部１３ａを形成し、後側のクッション８５は、パッセンジャーの着座部１３ｂを形成する。
【００３５】
カバー５０は、シート１３の外周形状に沿って設けられたレザー部（カバー枠部）５１を備える。
レザー部５１は、シート１３の外周に沿って前後方向に延びる左右一対の帯状部５１ａを備える。左側の帯状部５１ａと右側の帯状部５１ａとの間には、前端間を接続する前部５１ｂが形成されている。前部５１ｂは、後方に膨出しており、逆Ｕ字状に形成されている。左側の帯状部５１ａと右側の帯状部５１ａとの間には、前後方向の中央部間を接続する仕切り部５１ｃが形成されている。
仕切り部５１ｃは、前側のライダーの着座部１３ａと、後側のパッセンジャーの着座部１３ｂとの間の位置に形成されている。左側の帯状部５１ａと右側の帯状部５１ａとの間には、後端間を接続する後部５１ｄが形成されている。
【００３６】
図３に示すように、左右の帯状部５１ａ、前部５１ｂ、仕切り部５１ｃに囲まれた形状により、レザー部５１には前側の開口形状部５４が形成されている。左右の帯状部５１ａ、後部５１ｄ、仕切り部５１ｃにより囲まれた形状により、レザー部５１には後側の開口形状部５５が形成されている。
【００３７】
開口形状部５４は、図２、図５に示すメッシュ部（三次元立体編物）５２で塞がれている。メッシュ部５２により塞がれているため、カバー５０の開口形状部５４には、通気性、通水性がある。メッシュ部５２の下方にはクッション８０が配置される。メッシュ部５２は、左右の帯状部５１ａ、前部５１ｂ、仕切り部５１ｃに結合されており、レザー部５１と一体に構成されている。
開口形状部５５は、図２、図５に示すメッシュ部（三次元立体編物）５３で塞がれている。メッシュ部５３により塞がれているため、カバー５０の開口形状部５５には、通気性、通水性がある。メッシュ部５３の下方にはクッション８５が配置される。メッシュ部５３は、左右の帯状部５１ａ、後部５１ｄ、仕切り部５１ｃに結合されており、レザー部５１と一体に構成されている。
カバー５０は、図２に示すように、レザー部（カバー枠部）５１とメッシュ部（カバー本体部）５２、５３とにより構成される。
【００３８】
図４は、底板に支持されるクッション８０、８５の斜視図である。
クッション８０、８５は、それぞれ、カバー５０のメッシュ部５２、５３の位置に対応して底板６０に支持されている。カバー５０は、底板６０に支持されるクッション８０、８５に対して着脱可能に支持される。
【００３９】
図５は、シート１３の表面近傍の断面を拡大した図である。
シート１３のクッション８０、８５は、単層の網状素材からなる単層網状クッションで形成され、カバー５０のメッシュ部（メッシュカバー、カバー本体部）５２、５３は、メッシュ素材１００からなる。
【００４０】
クッション８０、８５は、熱可塑性エラストマーからなる樹脂製の繊維（連続線状体とも称する）１０５を曲がりくねらせてループを形成し、各ループの接触部分を融着などで接合し、三次元網状構造に構成したものである。つまり、このクッション８０、８５は、熱可塑性エラストマー網状体である。これにより、クッション性及び耐久性に優れ、且つ、ウレタン製のクッションと比べ、格段に通気性に優れたクッション８０、８５が得られる。
【００４１】
また、クッション８０、８５を構成する繊維１０５の材料、繊維径、中空率（単位面積当たりの中空面積）などを調整することによって、クッション性、通気性及び耐久性（クッション性の持続性）などを調整可能である。これにより、比較的厚さが薄いクッション８０、８５であっても、十分なクッション性、通気性及び耐久性を得ることができる。また、クッション８０、８５全体に隙間が形成されるので、放熱性及び水排出性（透水性）も得られ、シート１３の軽量化に有利である。
クッション８０、８５は、熱可塑性エラストマー網状体に限定されず、熱可塑性エラストマー以外の材料を用いた三次元網状構造でもよい。
【００４２】
カバー５０のメッシュ部５２、５３を構成するメッシュ素材１００は、合成樹脂などからなる繊維素材を編んで形成された編地からなる三層構造に形成される。つまり、メッシュ素材１００は、外部に露出する表面を構成する表層１０１と、裏面を構成する裏層１０２と、表層１０１及び裏層１０２を連結する連結層１０３とを備える三次元立体編物で形成される。表層１０１及び裏層１０２は、メッシュ状の孔空き組織の編地で形成され、通気性を有する。表層１０１には、表面の肌触りを良好にし、かつ、保水性の少ない繊維素材（嵩高糸、原糸等）を用いることが好ましい。
【００４３】
連結層１０３は、表層１０１及び裏層１０２をモノフィラメントの連結糸１０３Ａで連結して構成される。より具体的には、連結層１０３は、表層１０１及び裏層１０２を連結する際に少なくとも２本の連結糸１０３Ａが公差するクロス構造の編地で形成される。クロス構造にすることで、立体編物であるカバー５０のメッシュ部５２、５３の通気性、形態安定性、弾力性（衝撃吸収性）及び耐久性（弾力性の持続性）などを両立し易くなる。しかも、カバー５０のメッシュ部５２、５３全体に隙間が形成されるので、放熱性及び水排出性も得られ、シート１３の軽量化に有利である。
【００４４】
クッション８０、８５及びカバー５０のメッシュ部５２、５３の両方により、シート１３の通気性、放熱性及び水排出性が得られる。しかも、クッション８０、８５及びカバー５０のメッシュ部５２、５３を樹脂で形成するので、天然繊維を使用する場合と比べて、水に強い構造にすることができる。
連結層１０３はクロス構造に限定されず、表層１０１及び裏層１０２を略垂直に連結する柱構造、又は、少なくとも２本の連結糸１０３Ａと表裏の編地とが三角形を形成するトラス構造でもよい。さらに、メッシュ素材１００は三層以外の多層構造にしてもよい。また、表層１０１又は裏層１０２を１枚のメッシュ生地に変更するなど、各層１０１〜１０３の一部、或いは全てを編地以外で構成してもよい。また、多層構造に限らず、公知のメッシュ素材を広く適用可能である。
【００４５】
図６に示すように、シート１３の底板６０は、上面視（車両上面視）において、前後方向に延びる楕円形状に形成されている。底板６０は、図７に示すように、車両側面視で、後端６０ｂが前端６０ａに比べて上方に位置しており、外観において前下がり形状をしている。
底板６０は、前後方向の中央より前寄りの車幅方向中央側の上面に、クッション支持部６１を備える。クッション支持部６１には、ライダー用のクッション８０が支持される。クッション支持部６１は、車幅方向中央部（中心線Ｌ０の位置）が上方に凸となる断面アーチ状の上げ底部６２が形成されている。上げ底部６２は、車両側面視では、略水平方向に延びている。上げ底部６２は、クッション８０の底部に接触してクッション８０を支える。上げ底部６２がクッション８０を支えることにより、ライダーの座り心地が向上する。
上げ底部６２の前部左右には、側面形状付与部６６ｂが形成されている。図３に示すように、側面形状付与部６６ｂの上部には、クッション８０の左右両端が支持される。本実施の形態では、上げ底部６２と、左右の側面形状付与部６６ｂとにより、クッション８０が支持されるクッション支持部６１が構成されている。
【００４６】
クッション支持部６１の上げ底部６２の前方には、上方に突出する突当リブ６３が形成されている。突当リブ６３は、図６に示すように、Ｖ字状の突当部６３ａを備える。突当部６３ａは後方になるほど窄まる形状に形成されている。突当部６３ａには、クッション８０の先端部８０ａ（図４参照）が突き当てられ位置決めされる。
突当部６３ａの前方には、突当部６３ａの上端から前方に延びた複数の補強部６３ｂが形成されている。補強部６３ｂは、図７に示すように、前側ほど高さが低くなり、底板６０の前面部６６に滑らかに接続されている。
補強部６３ｂは、カバー５０で覆われた場合に、前面部６６と共に、カバー５０の内面に接触して、カバー５０にシート形状を持たせる。
【００４７】
クッション支持部６１の後部には、上方に隆起してクッション支持部６１に対して段差をなす段差部６４が形成されている。段差部６４は前部に段差壁６４ａを備える。段差壁６４ａはクッション支持部６１から上方に立ち上がる壁状に形成され、上端が上方に進むに連れて後方になるように傾斜している。段差壁６４ａと上記突当リブ６３との間にクッション８０が支持される。
段差部６４の後方には、第２のクッション支持部６５が形成されている。第２のクッション支持部６５は、車両側面視において、略水平に形成されており、図７に示すように、前側のクッション支持部６１よりも高い位置に形成されている。第２のクッション支持部６５には、パッセンジャー用のクッション８５が支持される。パッセンジャー用のクッション８５は、段差部６４に設けられた位置決めリブ（位置決め機構）７４に前端が位置決めされている。位置決めリブ７４は、段差部６４に沿って車幅方向に延びており、段差部６４よりも上方に突出している。
【００４８】
底板６０の前部には、前面部（底板６０の上面の一部）６６が形成されている。前面部６６は、後方に進むに連れて上方に傾斜する前面形状付与部６６ａと、前面形状付与部６６ａの上端から左右に延びる左右一対の側面形状付与部６６ｂとを備える。側面形状付与部６６ｂは、上げ底部６２の前部下側に沿って後方に延びている。側面形状付与部６６ｂは、車幅方向外側ほど下方になるように傾斜しており、車両側面視では、後方になるに連れて窄んでいる。
前面部６６は、カバー５０で覆われた場合に、カバー５０の内面に接触して、カバー５０にシート形状を持たせる。
【００４９】
クッション支持部６１および第２のクッション支持部６５の外周側には、周縁部６７が形成されている。周縁部６７は、図６に示す上面視において、底板６０の外周部に位置する。図３、図７に示すように、周縁部６７の断面形状は、シート１３中心から外周方向にかけて傾斜しており、車幅方向外側に進むに連れて下方になるように傾斜している。周縁部６７では水が、車幅方向外側に流れ易くなっている。周縁部６７の前側部６８の断面形状がシート１３中心から外周方向にかけて傾斜していることから、底板６０の剛性が向上している。
【００５０】
周縁部６７は、図７に示す車両側面視において、前下がり形状をしている。周縁部６７では、水が前側に流れ易くなっている。周縁部６７は、前面部６６の下端から後上がりに延びる前側部（周縁部６７の前部）６８を備える。前側部６８は、車両側面視でクッション支持部６１よりも下方に位置する。前側部６８の後方には、車両側面視でクッション支持部６１よりも後上方に延びている中央部６９が形成されている。中央部６９の後方には、中央部６９に比べて緩やかに後上方に傾斜した後側部７０が形成されている。前側部６８、中央部６９、後側部７０はそれぞれ左右に一対形成されている。
【００５１】
周縁部６７の左右の前側部６８が、クッション支持部６１に対して下方に段差を成しており、クッション支持部６１と周縁部６７の左右の前側部６８との間には、それぞれ、底板６０の前部を車幅方向外側に断面Ｌ字状に切り欠かいた切りかき部６０ｄが形成されている。すなわち、左右の前側部６８は、前面部６６の側面形状付与部６６ｂの下方およびクッション支持部６１の下方に形成された側壁部６８ａと、側壁部６８ａの下端から車幅方向に延びる底壁部６８ｂとにより構成されている。底壁部６８ｂは、車幅方向に進むに連れて下方に傾斜している。
【００５２】
前側部６８には、外周リブ７１が立設されている。外周リブ７１は、底板６０の上面の一部を構成する。外周リブ７１は薄板状である。外周リブ７１は、適宜の間隔Ａ１、Ａ２を空けて複数形成されている。隣合う外周リブ７１どうしの間には空間Ａが生じている。周縁部６７の前側部６８に備わる外周リブ７１によって、底板６０上にクッション８０が配設されない部分にも、シート１３の形状出しが可能となっている。カバー５０は、メッシュ部５２が外周リブ７１に接触してシート１３の形状となる。メッシュ部５２が三次元立体編物であるため、クッション８０が無い部分でも底板６０を保護することができる。
【００５３】
左右の前側部６８に、それぞれ外周リブ７１が複数立設されているため、シート１３の外周に沿った形状出しがし易くなっている。ここで、外周リブ７１は、切りかき部６０ｄの位置に形成されており、前側部６８でシート１３の形状出しをしている。底板６０が肉抜きされた形状であり、底板６０の軽量化をしてシートの形状出しが可能となる。
【００５４】
また、底板６０上に水が進入した場合に、底板６０上面に設けられた外周リブ７１間の空間Ａを通じて水抜きが可能となっている。外周リブ７１は、底板６０の周縁部６７に位置するため、水を排出するために有利である。ここで、外周リブ７１は、前側部６８に形成されており、底板６０の低い位置に形成されている。底板６０の前下がり形状や、周縁部６７の前下がり形状により、底板６０上の水を外周リブ７１に誘導し易くなっている。
【００５５】
外周リブ７１は、図６に示す上面視において、シート１３の中央から放射方向に延びている。それぞれの外周リブ７１は、車幅方向の内端７１ｄよりも外端７１ｅが前側に形成されている。上面視でシート中心から外周方向にかけて放射状に指向していることで、シート１３の外周に沿った形状出しが可能となる。また、外周リブ７１は、底板６０の傾斜に合わせて水をシート１３の前部へ誘導することができる。
【００５６】
それぞれの外周リブ７１は、略三角形状に形成されており、シート１３の形状出しが可能になっている。外周リブ７１は、底板６０の外縁部（周縁部６７の外端）６０ｃから、クッション支持部６１の下部にまたがって形成される略三角形状をなす。外周リブ７１は、側壁部６８ａに沿って延びる側辺部７１ａと、底壁部６８ｂに沿って延びる底辺部７１ｂと、側辺部７１ａと底辺部７１ｂとの先端を結ぶ斜辺部７１ｃとを備える。
【００５７】
図７に示すように、周縁部６７において外周リブ７１が立設している前側部６８は、クッション８０から離間しカバー５０（図２参照）の内面に当接可能な外周リブ７１が立設された前側部前部（立設部前部）６８ｃと、クッション８０の底面に当接する外周リブ７１が立設された前側部後部（立設部後部）６８ｄと、を備える。
前側部前部６８ｃが、前側部後部６８ｄに対して下方に位置し、クッション支持部６１との距離が離間している。外周リブ７１のうち、前側部前部６８ｃに位置する外周リブ７１は前側部後部６８ｄに位置する外周リブ７１に対して高さ方向の寸法が大きい。外周リブ７１は、前側の外周リブ７１ほど斜辺部７１ｃが直線に近く、後側の外周リブ７１ほど斜辺部７１ｃが凸に湾曲し全体が四角形状に近くなっている。
【００５８】
側面形状付与部６６ｂの下方にある前側部前部６８ｃ側の外周リブ７１は、図７に示すように、内端７１ｄでもある上端７１ｄが、前面部６６の側面形状付与部６６ｂの下縁６６ｂ１に接続されており、外端７１ｅでもある下端７１ｅが底板６０の外縁部６０ｃに接続されている。側面形状付与部６６ｂの下縁６６ｂ１から延びる斜辺部７１ｃは、側面形状付与部６６ｂから滑らかに延びている。
前側部後部６８ｄの外周リブ７１は、図７に示すように、内端７１ｄでもある上端７１ｄが、クッション支持部６１の上げ底部６２の側縁６１ａに接続されており、外端７１ｅでもある下端７１ｅが底板６０の外縁部６０ｃに接続されている。クッション支持部６１の上げ底部６２の側縁６１ａから延びる斜辺部７１ｃは、クッション支持部６１から滑らかに延びている。
【００５９】
外周リブ７１により、シート１３の形状出しが可能である。外周リブ７１によりシート１３の形状出しが可能であるため、クッション８０が小さくできてシート１３の軽量化ができる。
外周リブ７１は、斜辺部７１ｃが、カバー５０またはライダー用のクッション８０に当接する。前後方向の位置で斜辺部７１ｃの形状が異なることにより、外周リブ７１がシート１３の形状を滑らかに出し易くなっている。
外周リブ７１は、車両側面視で底辺部７１ｂが下側から後方斜め上方向に延出している。外周リブ７１により、底板６０の傾斜に合わせて水をシート１３前部に誘導することができる。
【００６０】
前側部後部６８ｄの外周リブ７１の車幅方向外側には、サイドリブ７２が形成されている。サイドリブ７２は、クッション８０に車幅方向外側から接触してクッション８０の側部の位置決めをする。
周縁部６７には、底板６０を上下方向に貫通する排水孔７３が形成されている。排水孔７３は、底板６０の外周に沿って複数形成されており、底板６０の外周方向に間隔を空けて形成されている。排水孔７３は、底板６０上に流れてきた水を底板６０の下側に排水する。外周リブ７１がある前側部６８にも排水孔７３が形成されている。排水孔７３の一つは、前側部前部６８ｃと、前側部後部６８ｄとの間に形成されている。外周リブ７１と外周リブ７１との間に形成された排水孔７３により、外周リブ７１を通じて底板６０の外周部近傍へ誘導された水がシート１３下方へ排出される。
【００６１】
図８は、ライダー用のクッション８０を下方から見た図である。
ライダー用のクッション８０は、幅狭の先端部８０ａを備える。先端部８０ａは二股状に分かれている。先端部８０ａの後方には、先端部８０ａよりも幅広の本体部８０ｂが形成されている。本体部８０ｂは、先端部８０ａから左右方向外側に延出する左右一対の延出部８０ｂ１を備える。本体部８０ｂの後方には、上方に曲がった後壁部８０ｃが形成されている。本体部８０ｂの下部には、上方に凹んだ左右一対の凹部８０ｄが形成されている。
【００６２】
ライダー用のクッション８０は、図９および図１０に示すように、底板６０のクッション支持部６１に支持される。先端部８０ａが突当リブ６３の突当部６３ａに突き当てられる。左右のサイドリブ７２によりクッション８０は側部が位置決めされる。左右一対の凹部８０ｄには、クッション支持部６１よりも上方に膨出する中央部６９が嵌められる。クッション８０は、後壁部８０ｃが、段差部６４の前方に配置される。
【００６３】
クッション８０は、突当リブ６３、サイドリブ７２、段差部６４などを介して、底板６０から挟まれるように圧力を受けて支持される。このとき、延出部８０ｂ１が複数の外周リブ７１のうち、周縁部６７の前側部後部６８ｄにある外周リブ７１の上方を覆う。複数の外周リブ７１のうち、一部を覆うクッション８０の延出部８０ｂ１によって、外周リブ７１との摩擦に対してカバー５０を保護することができる。
【００６４】
図４、図７に示すように、先端部８０ａが幅狭であり本体部８０ｂが幅広となるライダーの着座部１３ａでは、ライダーの脚が二点鎖線Ｒ１で示すような延出部８０ｂ１の位置に置かれ易い。クッション８０の延出部８０ｂ１が外周リブ７１の上方に延出しており、ライダーは柔らかいクッション８０上に脚を配置し易く、ライダーの乗り心地が向上している。また、ライダーが脚を動かす場合に、カバー５０がクッション８０を介して外周リブ７１に押し付けられ易いため、カバー５０が長寿命化され易い。ライダーが脚を置き易い前側部後部６８ｄの外周リブ７１の間隔Ａ２は、前側部前部６８ｃの外周リブ７１の間隔Ａ１に比べて狭く、荷重を受け易くなっている。
【００６５】
図９、図１０、図１１において、カバー５０（図２参照）がクッション８０、８５を覆うように取り付けられると、カバー５０は外周リブ７１に当接してシート形状にされ、底板６０を軽量化してシート形状を出すことが可能である。また、通気性、通水性がある。
カバー５０のメッシュ部５２、５３（図２参照）と、クッション８０、８５を通じて底板６０上に進入した水は、外周リブ７１などを介して誘導され、排水孔７３などから底板６０から排水される。
外周リブ７１が、底板６０上の水を底板６０の外側に誘導する構成を説明したが、外周リブ７１に厚み方向に貫通する開口７１ｆを設け、開口７１ｆを介して隣あう空間Ａから空間Ａを通じて、底板６０上に進入した水を排水孔７３に誘導する構成でも良い。
【００６６】
図１２は、ライダー用のクッション８０が底板６０に装着された場合を示す断面図であり、車幅方向中央部で切断した断面図である。図１３は、ライダー用の第２のクッション８１が底板６０に装着された場合を示す断面図であり、車幅方向中央部で切断した断面図である。図１４は、ライダー用の第３のクッション８２が底板６０に装着された場合を示す断面図であり、車幅方向中央部で切断した断面図である。
底板６０には、底板６０とは別体のスペーサー９０、９５が選択的に締結可能に構成されており、厚さｔ１、ｔ２、ｔ３の異なるライダー用のクッション８０、８１、８２が選択的に支持可能に構成されている。各クッション８０、８１、８２は厚さｔ１、ｔ２、ｔ３が異なる点以外は同様に構成されている。図１３、図１４のクッション８１、８２の各部の符号８１ａ〜８１ｃ、８２ａ〜８２ｃは、図１２のクッション８０の各部の符号８０ａ〜８０ｃに対応する。
【００６７】
所定の厚さｔ１に形成された第１のクッション８０は、第１のスペーサー９０に係止されて底板６０のクッション支持部６１に支持される。厚さｔ１よりも厚い所定の厚さｔ２に形成された第２のクッション８１は、第２のスペーサー９５に係止されてクッション支持部６１に支持される。厚さｔ２よりも厚い所定の厚さｔ３に形成された第３のクッション８２はスペーサー９０、９５を介さずに、クッション支持部６１に支持される。
スペーサー９０、９５が別体であるため、クッション支持部６１の形状が調整可能となり、ライダーの特性に応じてクッション８０〜８２を選択することができる。
【００６８】
図１５は第１のスペーサー９０が底板６０に装着されている場合の斜視図である。
図１６は第１のスペーサー９０の斜視図であり、図１７は同左側面図、図１８は図１６のＸＶＩＩＩ−ＸＶＩＩＩ線断面図である。
図１９は第２のスペーサー９５の斜視図であり、図２０は同左側面図、図２１は図１９のＸＸＩ−ＸＸＩ線断面図である。
第１のスペーサー９０と第２のスペーサー９５とは、選択的に底板６０に装着される部材であり、基本的な構成は同様である。
【００６９】
スペーサー９０、９５は、外観は幅広であり、それぞれ、車幅方向に延びる上壁部９１、９６と、上壁部９１、９６の前端から前下方に傾斜する接触部９２、９７と、を備える。上壁部９１、９６には、車幅方向に延びる長孔９３、９８が形成されている。
【００７０】
スペーサー９０、９５は、図６に示す底板６０の車幅方向中央の中心線Ｌ０上に配置される。ライダーの着座部１３ａの中心でスペーサー９０、９５がクッション８０、８１を係止することができ、よりクッション８０、８１の前後方向に対する滑り防止に貢献する。
スペーサー９０、９５は、前後方向では、段差部６４に配置される。長孔９３、９８には位置決めリブ７４が挿入され、スペーサー９０、９５が位置決めされる。スペーサー９０、９５は位置決めリブ７４で位置決めされるため、後側のクッション８５と、位置決めする位置決め機構が共通化されている。スペーサー９０、９５の位置決め機構を新たに設ける必要がないため、コストを抑制可能である。
スペーサー９０、９５は、段差部６４に対応する外形の背面９０ａ、９５ａを備える。
スペーサー９０、９５は、クッション支持部６１に固定される固定部９０ｂ、９５ｂを備える。
【００７１】
第１のスペーサー９０の背面９０ａの形状と、第２のスペーサー９５の背面９５ａの形状は一致している。背面９０ａ、９５ａは段差部６４に接触して配置される。
第１のスペーサー９０の固定部９０ｂの形状と、第２のスペーサー９５の固定部９５ｂの形状は一致している。固定部９０ｂ、９５ｂはクッション支持部６１に接触して配置される。
【００７２】
スペーサー９０、９５の接触部９２、９７は、段差部６４の段差壁６４ａに対して前方に突き出しており、図１２、図１３に示すようにクッション８０、８１との間に生じる隙間を埋める。厚さｔ１、ｔ２のクッション８０、８１に応じて、第１のスペーサー９０と第２のスペーサー９５とは、断面方向の厚みが異なる。
基準位置９４ａに対する第１のスペーサー９０の突き出し量Ｄ１は、基準位置９９ａに対する第２のスペーサー９５の突き出し量Ｄ２よりも大きい。
基準位置９４ａに対する第１のスペーサー９０の高さＨ１は、基準位置９９ａに対する第２のスペーサー９５の高さＨ２よりも高い。スペーサー９０、９５はクッション支持部６１の高さ調整機能もある。
【００７３】
図１２、図１３、図１５に示すように、車両側面視で、スペーサー９０、９５とパッセンジャー用のクッション８５が一部重なっている。パッセンジャー用のクッション８５でも、クッション８０、８１を後方から支えることができ、スペーサー９０、９５の大きさを抑制できる。
【００７４】
接触部９２、９７の表面には粗面（滑り防止機構）９２ａ、９７ａが形成されている。粗面９２ａ、９７ａがクッション８０、８１に接触して摩擦抵抗が増大し、クッション８０、８１が滑ることを防止する。クッション８０、８１の滑りが防止されるため、ライダーの乗り心地を向上することができる。接触部９２、９７の車幅方向中央部には、下方に凹んだ被締結部９４、９９が形成されている。被締結部９４、９９は、固定部９０ｂ、９５ｂの内部に位置する。被締結部９４、９９には、軸状の締結部材１１０が挿通され、底板６０の固定部６１ｂにスペーサー９０、９５を締結する。締結部材１１０の頭部１１０ａは被締結部９４、９９に埋まる。
【００７５】
図１２に示すように、厚さｔ１の第１のクッション８０は、先端部８０ａが突当リブ６３に突き当てられ、後壁部８０ｃが第１のスペーサー９０に接触した状態で、クッション支持部６１に支持されている。クッション８０の厚さｔ１に応じて、第１のスペーサー９０が、上げ底部６２から高さＨ１の分（図１８参照）、高くなり、段差壁６４ａに対して前方に突き出し量Ｄ１の分（図１８参照）、突き出して、クッション８０とクッション支持部６１との間に生じる隙間を埋めている。ライダー用の第１のクッション８０は、第１のスペーサー９０によりクッション支持部６１に滑らないように支持可能である。
【００７６】
図１３に示すように、厚さｔ２の第２のクッション８１は、先端部８１ａが突当リブ６３に突き当てられ、後壁部８１ｃが第２のスペーサー９５に接触した状態で、クッション支持部６１に支持されている。クッション８１の厚さｔ２に応じて、第２のスペーサー９５が、上げ底部６２から高さＨ２の分（図２１参照）、高くなり、段差壁６４ａに対して前方に突き出し量Ｄ２の分（図２１参照）、突き出して、クッション８１とクッション支持部６１との間に生じる隙間を埋めている。ライダー用の第２のクッション８１は、第２のスペーサー９５によりクッション支持部６１に滑らないように支持可能である。
【００７７】
図１４に示すように、厚さｔ３の第３のクッション８２は、先端部８２ａが突当リブ６３に突き当てられ、後壁部８２ｃが段差部６４に接触して、クッション支持部６１に支持されている。厚さｔ３が厚いクッション８２では、スペーサー９０、９５を用いずにクッション８２がクッション支持部６１に滑らないように支持可能である。
【００７８】
このように、本実施の形態では、ライダー用のクッション８０、８１の厚さｔ１、ｔ２に応じて複数の形態のスペーサー９０、９５がある。スペーサー９０、９５を調整してクッション支持部６１を調整が可能となり、ライダーの特性に応じて、ライダーの着座部１３ａを形成するクッション８０〜８２を選択することができる。
また、本実施の形態では、ライダー用のクッション８０〜８２と、パッセンジャー用のクッション８５が別体であるため、ライダー用のクッション８０〜８２と、パッセンジャー用のクッション８５のクッション性を別々に調整可能である。
【００７９】
以上説明したように、本発明を適用した本実施の形態によれば、底板６０と、底板６０に支持されるクッション８０〜８２、８５と、クッション８０〜８２、８５を覆うカバー５０とからなるシート１３を備え、クッション８０〜８２、８５は、乗員の座部１３ａ、１３ｂを形成し、底板６０は、クッション８０〜８２、８５を支持するクッション支持部６１、６５を備え、シート１３を車体に接続し、カバー５０は、クッション８０〜８２、８５および底板６０を覆う車両のシート構造において、底板６０の上面の一部を構成する前面部６６および外周リブ７１と、クッション８０〜８２、８５がカバー５０の内側と接触する。したがって、底板６０の上面６６、７１によって、底板６０上にクッション８０〜８２、８５が配設されない部分にもシート１３の形状出しが可能となる。
【００８０】
本実施の形態では、底板６０は、クッション支持部６１、６５の外周に位置する周縁部６７と、周縁部６７に立設される外周リブ７１を備え、外周リブ７１はカバー５０の内側と接触する。したがって、底板６０の周縁部６７に備わる外周リブ７１によって、底板６０上にクッション８０〜８２、８５が配設されない部分にもシートの形状出しが可能となる。
【００８１】
本実施の形態では、リブ７１は、上面視で、シート１３中心から外周方向にかけて放射状に指向している。したがって、上面視でシート中心から外周方向にかけて放射状に指向していることで、シート外周に沿った形状出しが可能となる。
【００８２】
本実施の形態では、リブ７１は、周縁部６７の前部６８に位置し、左右それぞれ複数配置される。したがって、左右それぞれ複数の外周リブ７１が配置されることで、シート１３外周に沿った形状出しが可能となる。
【００８３】
本実施の形態では、周縁部６７の一部を構成する前部６８は、クッション支持部６１よりも下方に位置し、クッション支持部６１と周縁部６７の間には切りかき部６０ｄが形成され、リブ７１は切りかき部６０ｄに位置する。したがって、切りかき部６０ｄを備えることで底板６０の軽量化が可能となる。さらに切りかき部６０ｄに外周リブ７１が形成されることでシート１３の形状出しが可能となる。
【００８４】
本実施の形態では、リブ７１は、周縁部６７の外端６０ｃからクッション支持部６１の下部にまたがって形成される略三角形状をなす。したがって、外周リブ７１が略三角形状をなすことでシート１３の形状出しを行うことができる。
【００８５】
本実施の形態では、リブ７１の外端部７１ｅは内端部７１ｄよりも前方に位置する。したがって、底板６０の傾斜に合わせて水をシート１３の前部へ誘導することができる。また、リブ７１の外端部７１ｅが内端部７１ｄよりも前方に位置することでシート１３の形状出しが可能である。
【００８６】
本実施の形態では、周縁部６７は、外周リブ７１が立設された前側部前部６８ｃが前側部後部６８ｄに対して下方に位置し、クッション支持部６１との距離が離間しており、前側部前部６８ｃに位置する外周リブ７１は前側部後部６８ｄに位置する外周リブ７１に対して高さ方向の寸法が大きい。したがって、軽量化をしつつ滑らかなシートの形状出し行うことができる。
【００８７】
本実施の形態では、クッション８０〜８２は左右の両端に延出部８０ｂ１を有し、延出部８０ｂ１は複数の外周リブ７１の一部を覆うように配置される。したがって、複数の外周リブ７１の一部を覆うクッション８０〜８２の延出部８０ｂ１によって、外周リブ７１との摩擦に対してカバー５０を保護することができる。
【００８８】
本実施の形態では、カバー５０は三次元立体編物からなるメッシュ部５２、５３を備えるカバーである。カバーが三次元立体編物であることから、クッション８０〜８２、８５が無い部分でも底板６０を保護することができる。また、メッシュ部５２、５３であることから、通気性を確保することができる。
【００８９】
本実施の形態では、周縁部６７の断面形状は、シート１３中心から外周方向にかけて傾斜している。したがって、周縁部６７がシート１３中心から外周方向へと放射状に傾斜していることで、周縁部６７上に浸入した水をシート１３外部へと排出しやすくなる。また、シート１３の底板６０の周縁部６７の断面形状がシート１３中心から外周方向にかけて傾斜していることから、底板６０の剛性が向上する。
【００９０】
上述した実施形態は、あくまでも本発明の一態様を示すものであり、本発明の主旨を逸脱しない範囲で任意に変形及び応用が可能である。
ライダー用のクッション８０〜８２が選択的に支持される構成を説明したが、ライダー用のクッションは一定の厚さｔ１〜ｔ３の構成でも良く、スペーサー９０、９５が省略されていても良い。
シート１３は、ライダー用のクッション８０〜８２と、パッセンジャー用のクッション８５が別体である構成を例示したが、ライダー用のクッション８０〜８２と、パッセンジャー用のクッション８５が一体でも良い。また、複座式でなく単座式でも良い。
カバー５０はレザー部５１とメッシュ部５２、５３とを備える構成を説明したが、カバー５０は、三次元網状構造のメッシュ素材１００だけのカバー５０でもよい。
【符号の説明】
【００９１】
１３  シート
１３ａ、１３ｂ  座部
５０  表面部材
５２、５３  メッシュカバー
６０  底板
６０ｃ  周縁部の外端
６０ｄ  切りかき部
６１、６５  クッション支持部
６６  前面部（上面の一部）
６７  周縁部
６８  前部
６８ｃ  立設部前部
６８ｄ  立設部後部
７１  リブ（上面の一部）
７１ｄ  内端部
７１ｅ  外端部
８０〜８２、８５  クッション
８０ｂ１  延出部
【図１】
2019131053.tif 000003
【図２】
2019131053.tif 000004
【図３】
2019131053.tif 000005
【図４】
2019131053.tif 000006
【図５】
2019131053.tif 000007
【図６】
2019131053.tif 000008
【図７】
2019131053.tif 000009
【図８】
2019131053.tif 000010
【図９】
2019131053.tif 000011
【図１０】
2019131053.tif 000012
【図１１】
2019131053.tif 000013
【図１２】
2019131053.tif 000014
【図１３】
2019131053.tif 000015
【図１４】
2019131053.tif 000016
【図１５】
2019131053.tif 000017
【図１６】
2019131053.tif 000018
【図１７】
2019131053.tif 000019
【図１８】
2019131053.tif 000020
【図１９】
2019131053.tif 000021
【図２０】
2019131053.tif 000022
【図２１】
2019131053.tif 000023